(57)【要約】  車両に搭載された車載装置への電源供給を制御する電源供給制御装置であって、前記車両のエンジンの起動前に、前記車両への利用者の搭乗を検知する搭乗検知手段からの検知信号を受け付ける搭乗検知信号受付部と、前記検知信号を受け付けた場合に、前記車両に搭載されたバッテリから前記車載装置に電源供給を行う電源供給制御部と、を備える。
2019087300.tif 000002
【特許請求の範囲】
【請求項１】
車両に搭載された車載装置への電源供給を制御する電源供給制御装置であって、
前記車両のエンジンの起動前に、前記車両への利用者の搭乗を検知する搭乗検知手段からの検知信号を受け付ける搭乗検知信号受付部と、
前記検知信号を受け付けた場合に、前記車両に搭載されたバッテリから前記車載装置に電源供給を行う電源供給制御部と、
を備える電源供給制御装置。
【請求項２】
前記車載装置は、前記車両に搭載されたバッテリから前記車載装置に電源供給が行われると起動し、
前記車載装置は、前記車両のエンジンが起動される前に前記利用者へのサービス提供が可能な状態になった場合には、前記車両のエンジンが起動されるまで前記利用者へのサービス提供を行わない
請求項１に記載の電源供給制御装置。
【請求項３】
前記車載装置に電源供給を行ってから前記車両のエンジンが起動されるまでの経過時間を計測するタイマ部をさらに備え、
前記電源供給制御部は、前記車載装置に電源供給を行ってから所定の判定時間以内に前記車両のエンジンが起動されない場合に、前記車両に搭載されたバッテリから前記車載装置への電源供給を遮断する
請求項１又は請求項２に記載の電源供給制御装置。
【請求項４】
請求項１から請求項３のいずれか一項に記載の電源供給制御装置と、
前記バッテリと、
前記車載装置と、
前記搭乗検知手段と、
を備える車両。
【請求項５】
車両に搭載された車載装置への電源供給を制御する電源供給制御方法であって、
前記車両のエンジンの起動前に、前記車両への利用者の搭乗を検知する搭乗検知手段からの検知信号を受け付ける搭乗検知信号受付ステップと、
前記検知信号を受け付けた場合に、前記車両に搭載されたバッテリから前記車載装置に電源供給を行う電源供給制御ステップと、
を備える電源供給制御方法。
【請求項６】
車両に搭載された車載装置への電源供給を制御する電源供給制御装置としてのコンピュータを、
前記車両のエンジンの起動前に、前記車両への利用者の搭乗を検知する搭乗検知手段からの検知信号を受け付ける搭乗検知信号受付部と、
前記検知信号を受け付けた場合に、前記車両に搭載されたバッテリから前記車載装置に電源供給を行う電源供給制御部と、
して機能させる電源供給制御プログラム。
【発明の詳細な説明】
【技術分野】
【０００１】
本発明は、電源供給制御装置、当該電源供給制御装置を備える車両、電源供給制御方法、並びに電源供給制御プログラムに関する。
【背景技術】
【０００２】
車両に搭載されている車載用カーナビゲーション装置（いわゆる「カーナビ」）、カーオーディオ等の車両に搭載される電子機器である車載装置は、車両のエンジンが起動されてから電源が入り、システムが起動されてサービスが提供される。この為、運転者等が駐車車両等に搭乗してエンジンを起動しても、すぐにはカーナビによる経路案内、カーオーディオによる音楽再生等の、車載装置のサービス提供を受けることができなかった。このような問題の解決策として、車載装置の電源を完全に落とさずにスリープ状態で待機させる技術があるが、このやり方では長時間の駐車をすると車載装置に電源を供給するバッテリが上がってしまう。【０００３】
また、上記問題の別の解決策として、車載装置の起動自体を高速化する技術が知られている。例えば、特許文献１には、情報処理装置の起動自体を高速化する技術の一例として、ハイバネーション技術が記載されている。このハイバネーション技術では、情報処理装置が起動された状態のメインメモリの内容をスナップショットイメージとして不揮発性記憶装置に記憶させておき、情報処理装置を起動する際には記憶させておいたスナップショットイメージを解凍展開することで通常の起動の手順で必要となる初期化等の処理を省略して高速起動を行うことができる。このように、車載装置の起動自体を高速化する技術を用いることで、運転者等が車両に搭乗してエンジンを起動した後に車載装置のサービス提供を受けるまでの時間を短縮することができる。
【先行技術文献】
【特許文献】
【０００４】
【特許文献１】特開２０１７−１５６２０５号公報
【発明の概要】
【発明が解決しようとする課題】
【０００５】
しかしながら、車載装置の起動自体を高速化する技術を用いることによって車載装置の起動時間は短縮されるがそれでもなお一定の処理時間は必要であり、運転者等がエンジンの停止していた車両に搭乗してから車載装置のサービスが提供されるまでの待ち時間は無視できる長さにはなっていない。従って、エンジンの停止していた車両においてエンジンを起動してから車載装置のサービス提供までの待ち時間を効果的に短縮する技術が望まれている。【０００６】
上記課題に鑑みて、本発明は、エンジンの停止していた車両においてエンジンを起動してから車載装置のサービス提供までの待ち時間を効果的に短縮することができる電源供給制御装置、当該電源供給制御装置を備える車両、電源供給制御方法、並びに電源供給制御プログラムを提供する。
【課題を解決するための手段】
【０００７】
本発明の第１の態様によれば、車両（１）に搭載された車載装置（５）への電源供給を制御する電源供給制御装置（１０）は、前記車両のエンジンの起動前に、前記車両への利用者の搭乗を検知する搭乗検知手段（３）からの検知信号を受け付ける搭乗検知信号受付部（１１）と、前記検知信号を受け付けた場合に、前記車両に搭載されたバッテリ（２）から前記車載装置に電源供給を行う電源供給制御部（１２）と、を備える。
このようにすることで、利用者が車両のエンジンを起動してから車両の車載装置であるカーナビ等に電源を供給するのではなく、車両のエンジンの起動前に人感センサ等の搭乗検知手段によって予め車両への利用者の搭乗を検知し、それをトリガとして電源供給制御部によってバッテリから車載装置に電源供給を行っているので、利用者が車両に搭乗してエンジンを起動してから車載装置のサービス提供までの待ち時間を効果的に短縮することができる。【０００８】
また、本発明の第２の態様によれば、前記車載装置（５）は、前記車両（１）に搭載されたバッテリ（２）から前記車載装置に電源供給が行われると起動し、前記車載装置は、前記車両のエンジンが起動される前に前記利用者へのサービス提供が可能な状態になった場合には、前記車両のエンジンが起動されるまで前記利用者へのサービス提供を行わない。
このようにすることで、車載装置が起動された後、車両のエンジンを起動するまで車載装置は利用者へのサービス提供を行わないので、車両に搭載されて車載装置５に電源供給を行うバッテリの消耗を抑制することができる。従って、エネルギー効率を低下させずに、利用者が車両に搭乗してからの車載装置のサービス提供までの待ち時間を短縮することができる。【０００９】
また、本発明の第３の態様によれば、上述の電源供給制御装置は、前記車載装置（５）に電源供給を行ってから前記車両（１）のエンジンが起動されるまでの経過時間を計測するタイマ部（１３）をさらに備え、前記電源供給制御部（１２）は、前記車載装置に電源供給を行ってから所定の判定時間以内に前記車両のエンジンが起動されない場合に、前記車両に搭載されたバッテリ（２）から前記車載装置への電源供給を遮断する。
このようにすることで、タイマ部を用いて車載装置に電源供給を行ってから車両のエンジンが起動されるまでの経過時間を計測し、車載装置に電源供給を行ってから所定の判定時間以内に車両のエンジンが起動されない場合に、車両に搭載されたバッテリから車載装置への電源供給を遮断することができる。これにより、搭乗検知手段の誤検知等に基づいて、車両が直ちに運転に利用される状況にはないにもかかわらず、電源供給制御装置が車載装置に電源供給をし続けてしまう事態を防止し、延いては、車両のバッテリの浪費を抑制することができる。
【００１０】
また、本発明の第４の態様によれば、車両（１）は、第１から第３の何れかの態様に記載の電源供給制御装置（１０）と、前記バッテリ（２）と、前記車載装置（５）と、前記搭乗検知手段（３）と、を備える。【００１１】
また、本発明の第５の態様によれば、車両に搭載された車載装置への電源供給を制御する電源供給制御方法は、前記車両のエンジンの起動前に、前記車両への利用者の搭乗を検知する搭乗検知手段からの検知信号を受け付ける搭乗検知信号受付ステップと、前記検知信号を受け付けた場合に、前記車両に搭載されたバッテリから前記車載装置に電源供給を行う電源供給制御ステップと、を備える。【００１２】
また、本発明の第６の態様によれば、電源供給制御プログラムは、車両に搭載された車載装置への電源供給を制御する電源供給制御装置としてのコンピュータ（９）を、前記車両のエンジンの起動前に、前記車両への利用者の搭乗を検知する搭乗検知手段からの検知信号を受け付ける搭乗検知信号受付部と、前記検知信号を受け付けた場合に、前記車両に搭載されたバッテリから前記車載装置に電源供給を行う電源供給制御部と、して機能させる。
【発明の効果】
【００１３】
上述の電源供給制御装置、当該電源供給制御装置を備える車両、電源供給制御方法、並びに電源供給制御プログラムによれば、エンジンの停止していた車両に利用者が搭乗してエンジンを起動してから車載装置のサービス提供までの待ち時間を効果的に短縮することができる。
【図面の簡単な説明】
【００１４】
【図１】第１の実施形態に係る電源供給制御装置を備える車両の全体構成を示す概略図である。
【図２】第１の実施形態に係る電源供給制御装置の構成を説明するブロック図である。
【図３】第１の実施形態に係る電源供給制御装置の動作を示すフローチャートである。
【図４】第１の実施形態に係る車載装置の起動手順を従来の起動手順と比較して説明する説明図である。
【図５】第１の実施形態の第１の変形実施例に係る車載装置の起動手順を説明する説明図である。
【図６】第２の実施形態に係る電源供給制御装置の構成を説明するブロック図である。
【図７】第２の実施形態に係る電源供給制御装置の動作を示すフローチャートである。
【図８】少なくとも１つの実施形態に係るコンピュータの構成を示す概略ブロック図である。
【発明を実施するための形態】
【００１５】
＜第１の実施形態＞
以下、本発明の第１の実施形態について図面を参照しながら説明する。すべての図面において同一または相当する構成には同一の符号を付し、共通する説明は省略する。
【００１６】
（第１の実施形態に係る電源供給制御装置を備える車両の全体構成）
図１は、本発明の第１の実施形態に係る電源供給制御装置１０を備える車両１の全体構成を示す概略図である。図１を用いて本発明の第１の実施形態に係る電源供給制御装置１０を備える車両１の全体構成について説明する。
【００１７】
車両１は、図１に示すように、バッテリ２、人感センサ３、電源供給制御装置１０、外部メモリ４、及び車載装置５を備えている。本発明の第１の実施形態では、車両１がガソリン車である場合について説明するが、車両１は、例えば、ディーゼル車、水素車、燃料電池車、及びハイブリッド車等のようにガソリン以外を動力源とする車両であってよい。
【００１８】
バッテリ２は、車両１に搭載されて車両１内の各負荷に電源を供給する直流電源であり、車両１の走行によって充電されるように構成されている。バッテリ２は、電源供給線Ｌ１で電源供給制御装置１０に接続されており、電源供給制御装置１０を介して車載装置５に電源を供給するように構成されている。なお、図１では、説明の簡易化を目的として、バッテリ２が電源供給制御装置１０を介して車載装置５に電源を供給する構成だけを示しているが、バッテリ２は、例えば、人感センサ３、電源供給制御装置１０、外部メモリ４、及び車載装置５等のその他の装置に電源を供給してもよい。
【００１９】
人感センサ３は、車両１への利用者の搭乗を検知する搭乗検知手段である。本発明の第１の実施形態では、人感センサ３は温度センサであり、例えば、焦電効果を利用して車両１に乗り込んだ（車内に入った）利用者から放出される赤外線を検知することによって車両１への利用者の搭乗を検知するように構成されている。人感センサ３は、信号線Ｓ１を介して電源供給制御装置１０に接続されており、車両１に乗り込んだ利用者から放出される赤外線を検知すると、信号線Ｓ１を介して車両１への利用者の搭乗を検知した旨の検知信号を電源供給制御装置１０に出力する。
ここで、車両１に乗り込んだ（車内に入った）ことを検知する人感センサ３は、接触式の温度センサであってもよいし、非接触式の温度センサであってもよい。また、当該人感センサ３は、例えば、光学センサ、及び圧力センサ等のように温度センサ以外のセンサであってもよい。一例として、光学センサは、照射した光が車両１に乗り込んだ利用者によって反射された反射光を検知するセンサであってよい。また、一例として、圧力センサは、車両１に乗り込んだ利用者が座席に着席する圧力を検知する圧力センサ等であってよい。
また、第１の実施形態に係る人感センサ３は、利用者が実際に車両１に乗り込んだこと（車内に入ったこと）を検知するものとして説明したが、他の実施形態においてはこの態様に限定されない。即ち、他の実施形態に係る人感センサ３は、利用者が車両１のドアロックを解除したこと、利用者が車外から車両１のドアへ接近したこと等を検知することによって車両１への利用者の搭乗を検知するセンサであってもよい。車両１のドアロックの解除を検知する態様の場合、人感センサ３は、車両１のドアに設置されるドアロック機構の状態（ロックがかかっている状態か否か）を示す信号を監視するものであってよい。また、利用者が車外から車両１のドアへ接近したことを検知する態様の場合、人感センサ３は、上述の温度センサ、光学センサの他、例えば、利用者が所持するスマートエントリー用のキーから発信される電波の強度を検知するものであってよい。
さらに、人感センサ３は、車両１への利用者の搭乗を検知するように複数の種類のセンサを組合せたものでもよい。
また、「車両１への利用者の搭乗を検知する」との文言は、利用者が実際に車両１に乗り込んだこと（車内に入ったこと）を検知することに限られず、上記の通り、利用者が車両１に実際に乗り込む前に生じる種々のイベント（車両１のドアロックの解除、車両１のドアへの利用者の接近等）を検知することを含むものとする。
【００２０】
車載装置５は、例えば、車両１内に設けられて利用者に目的地までの経路案内等のサービスを提供することができるカーナビであってよい。図１に示すように、車載装置５は電源供給線Ｌ２を介して電源供給制御装置１０に接続されており、車載装置５には、電源供給制御装置１０を介してバッテリ２から電源が供給されるように構成されている。なお、本発明の第１の実施形態では、車載装置５がカーナビである場合について説明するが、車載装置５は例えば、カーオーディオ、及び車載器等のように車両１内に設けられ、バッテリ２により電源が供給されて利用者にサービスを提供可能なその他の装置であってよい。車載装置５であるカーナビは、電源供給制御装置１０を介してバッテリ２から電源が供給されると起動するように構成されている。
【００２１】
車載装置５は、図１に示すように、データ線Ｄ１を介して不揮発性メモリである外部メモリ４に接続されている。車載装置５は、システム及びアプリケーションが起動した状態のメインメモリ（後述する図８に示す主記憶装置９２）の内容のうち、使用している使用領域のみをスナップショットイメージとして外部メモリ４に圧縮して記憶しておくことができるように構成されている。なお、システム及びアプリケーションが起動した状態のＣＰＵレジスタ値も、スナップショットイメージとして記憶されるようにメインメモリ内に記憶しておいてよい。本発明の第１の実施形態では、車載装置５のサービスが提供可能である状態のメインメモリの内容をスナップショットイメージとして外部メモリ４に記憶しておいてよい。これにより、後述するように車載装置５の起動時に外部メモリ４に圧縮して記憶されたスナップショットイメージを、データ線Ｄ１を介して車載装置５内のメモリ（図示せず）に解凍展開し、いわゆるハイバネーション起動と呼ばれる車載装置５の高速起動を行うことができる。
なお、高速起動に用いられる外部メモリ４は、例えば、ＨＤＤ（Hard Disk Drive）、ＳＳＤ（Solid State Drive）、磁気ディスク、光磁気ディスク、ＣＤ−ＲＯＭ（Compact Disc Read Only Memory）、ＤＶＤ−ＲＯＭ（Digital Versatile Disc Read Only Memory）、半導体メモリ等の補助記憶装置であってよい。
【００２２】
（第１の実施形態に係る電源供給制御装置の機能構成）
図２は、第１の実施形態に係る電源供給制御装置１０の機能構成を説明するブロック図である。図２に示すように、電源供給制御装置１０は、車両１のエンジン（図示せず）の起動前に、車両１への利用者の搭乗を検知する搭乗検知手段である人感センサ３からの検知信号を受け付ける搭乗検知信号受付部１１と、検知信号を受け付けた場合に、車両１に搭載されたバッテリ２から車載装置５に電源供給を行う電源供給制御部１２とを備えている。
【００２３】
搭乗検知信号受付部１１は、車両１のエンジンの起動前に搭乗検知手段である人感センサ３から、車両１への利用者の搭乗を検知した旨の検知信号が信号線Ｓ１を介して入力されると、検知信号を受け付けたことを電源供給制御部１２に通知するように構成されている。搭乗検知信号受付部１１は、イグニッション回路（図示せず）からエンジンが起動していることを示すイグニッション信号が入力されていない場合に車両１のエンジンの起動前であると判定してよい。
【００２４】
電源供給制御部１２は、搭乗検知信号受付部１１から検知信号を受け付けたことが通知されると、車両１に搭載されたバッテリ２から車載装置５であるカーナビに電源供給を行う。具体的には、電源供給制御部１２は、例えば、バッテリ２と電源供給制御装置１０の電源供給制御部１２とに接続されている電源供給線Ｌ１を、電源供給制御部１２と車載装置５とに接続されている電源供給線Ｌ２に接続することで車載装置５であるカーナビに電源供給を行う。
【００２５】
（第１の実施形態に係る電源供給制御装置の動作の処理フロー）
図３は、第１の実施形態に係る電源供給制御装置１０の動作を示すフローチャートである。図３を用いて第１の実施形態に係る電源供給制御装置１０の動作を説明する。なお、図３において、電源供給制御装置１０によって行われる処理は、ステップＳ１０１〜Ｓ１０２の処理であり、ステップＳ１０３〜Ｓ１０５は、車載装置５によって行われるが、理解の容易化を目的として一連の処理を１つのフローチャートで示している。
【００２６】
例えば、車両１の利用者が車両１を駐車場等に停車してエンジンを止めてから所定時間が経過した場合等に、図３に示すフローチャートの処理が開始されてよい。即ち、利用者が車両１から離れている状況で図３に示すフローチャートの処理が開始されてよい。図３に示すフローチャートの処理が開始されると、電源供給制御装置１０の搭乗検知信号受付部１１は、車両１のエンジンの起動前に車両１への利用者の搭乗を検知したか否かを判定する（ステップＳ１０１）。具体的には、例えば、エンジンが起動されていない場合に、車両１への利用者の搭乗を検知する搭乗検知手段である人感センサ３が車両１への利用者の搭乗を検知し、信号線Ｓ１を介して検知信号が搭乗検知信号受付部１１に入力されると、搭乗検知信号受付部１１は車両１のエンジンの起動前に車両１への利用者の搭乗を検知したと判定し（ステップＳ１０１のＹＥＳ）、検知信号を受け付けたことを電源供給制御部１２に通知する。なお、搭乗検知信号受付部１１は、イグニッション回路（図示せず）からエンジンが起動していることを示すイグニッション信号が入力されていない場合にエンジンが起動されていないと判定してよい。
【００２７】
一方、人感センサ３からの検知信号が搭乗検知信号受付部１１に入力されていない場合には、電源供給制御装置１０の搭乗検知信号受付部１１は、車両１のエンジンの起動前に車両１への利用者の搭乗を検知していないと判定し（ステップＳ１０１のＮＯ）、処理はステップ１０１に戻る。このようにして、搭乗検知信号受付部１１が車両１のエンジンの起動前に車両１への利用者の搭乗を検知したと判定するまでステップＳ１０１の処理が繰返される。
【００２８】
電源供給制御部１２は、搭乗検知信号受付部１１から検知信号を受け付けたことを通知されると、車載装置５であるカーナビに電源供給を行う（ステップＳ１０２）。具体的には、電源供給制御部１２は、例えば、バッテリ２と電源供給制御装置１０の電源供給制御部１２とに接続されている電源供給線Ｌ１を、電源供給制御部１２と車載装置５とに接続されている電源供給線Ｌ２に接続することで車載装置５であるカーナビに電源供給を行う。
【００２９】
車載装置５は、電源供給されるとシステムを起動する（ステップＳ１０３）。本発明の第１の実施形態では、例えば、車載装置５によるシステムの起動は、ＢＩＯＳの起動及びブートローダの起動の各動作を順に実施することであってよい。また、第１の実施形態では、ブートローダの動作により、メインメモリに、カーネル、一部のドライバ、アプリケーションを含むスナップショットイメージが解凍展開（ロード）されることで高速起動が行われる。なお、システムの起動の上述した各動作は一例であり、必要に応じて各動作の順序が変更される等、実施形態が変形されてもよい。
【００３０】
次に、車載装置５は、外部メモリ４に予め記憶された車載装置５の起動状態のメインメモリの内容のスナップショットイメージを外部メモリ４からデータ線Ｄ１を介して車載装置５内のメモリ（図示せず）に解凍展開する（ステップＳ１０４）。本発明の第１の実施形態では、車載装置５の起動状態のメインメモリの内容は、圧縮されたデータの形式でスナップショットイメージデータとして外部メモリに予め記憶されているので、車載装置５内のメモリにスナップショットイメージデータを解凍展開する際には、車載装置５内のメモリにスナップショットイメージデータをコピーしてから解凍し、車載装置５が起動した状態になる。
【００３１】
次に、車載装置５は、サービスを提供する（ステップＳ１０５）。本発明の第１の実施形態では、カーナビである車載装置５が、車両１の利用者に目的地までの経路案内等のサービスが提供される。以上により、図３に示すフローチャートの処理が終了する。
【００３２】
（第１の実施形態に係る車載装置の起動手順の説明）
図４は、第１の実施形態に係る車載装置５の起動手順を従来の起動手順と比較して説明する説明図である。図４を用いて第１の実施形態に係る車載装置５の起動手順と従来の起動手順との違いを説明する。
【００３３】
図４には、車載装置５が起動される際の各処理と時間経過との関係が示されている。図４では、上から順に、従来の起動手順Ａ、スナップショットイメージを利用した従来の起動手順Ｂ、及びスナップショットイメージを利用した本発明の起動手順Ｃが記載されている。図４の横軸ｔは時間軸であり、図面に向かって右側が左側よりも後の時間を示す。時間軸ｔにおいて、時刻ｔ０は人感センサ３によって車両１への利用者の搭乗が検知された時刻を示す。時刻ｔ１は利用者により車両１のエンジンが起動された時刻を示す。時刻ｔ２、ｔ３、及びｔ４は、本発明の起動手順Ｃ、従来の起動手順Ｂ、及び従来の起動手順Ａにおいて車載装置５のサービス提供が開始された時刻、即ち、サービス提供が可能となった時刻を各々、示す。
【００３４】
図４に示す従来の起動手順Ａ及びＢでは、車両１に利用者が搭乗してからエンジンを起動することにより車載装置５に電源が供給されて起動されるのに対し、本願の起動手順では、図３を用いて上述したように、人感センサ３による車両１への利用者の搭乗の検知をトリガとして車両１のエンジンの起動前に電源供給制御装置１０により車載装置５に電源が供給されて起動される。なお、従来の起動手順Ｂは、スナップショットイメージを利用している点だけが従来の起動手順Ａと異なっている。以下、具体的に説明していく。
【００３５】
従来の起動手順Ａでは、図４に示すように、時刻ｔ１に車両１のエンジンが起動されると、システム起動の処理Ａ１が開始される。従来の起動手順Ａの場合には、車載装置５によるシステムの起動は、ＢＩＯＳの起動、ブートローダの起動、カーネルの起動、及びドライバの起動の各動作を順に実施することであってよい。従来の起動手順Ａにおいて、システム起動の処理Ａ１が完了すると、次にアプリケーション起動の処理Ａ２が行われる。具体的には、カーナビである車載装置５が車両１の利用者に目的地までの経路案内等のサービスを提供する為に必要なアプリケーションが起動される。そして、時刻ｔ４にアプリケーション起動の処理Ａ２が完了すると、カーナビである車載装置５は、車両１の利用者に目的地までの経路案内等のサービスの提供の処理Ａ３を開始する。
【００３６】
従来の起動手順Ｂでは、図４に示すように、従来の起動手順Ａと同様に時刻ｔ１に車両１のエンジンが起動されると、システム起動の処理Ｂ１が開始される。従来の起動手順Ｂの場合には、システム起動の処理Ｂ１として、ＢＩＯＳの起動及びブートローダの起動の各動作が順に実施されてよい。ここで、従来の起動手順Ｂでは、システム起動の処理Ｂ１の完了後、従来の起動手順Ａのようにアプリケーション起動は行わず、高速起動を目的として、カーネル、一部のドライバ、及びアプリケーションが含まれるスナップショットイメージのロードの処理Ｂ２を行う。具体的には、外部メモリ等に予め記憶された車載装置５の起動状態のメインメモリの内容を含むスナップショットイメージを外部メモリから車載装置５のメモリに解凍展開する。この為、図４に示すように、スナップショットイメージの解凍展開の処理Ｂ２が完了し、カーナビである車載装置５による経路案内等のサービスの提供が開始可能になる時刻ｔ３は、従来の起動手順Ａにおける時刻ｔ４よりも早い時刻となる。なお、車載装置５のシステム起動の処理Ｂ１は、スナップショットイメージの解凍展開の処理Ｂ２を実施可能な最低限な処理であればよいので、図４に示すように、従来の起動手順Ｂにおけるシステム起動の処理Ｂ１に要する時間は、従来の起動手順Ａにおけるシステム起動の処理Ａ１に要する時間よりも短縮されている。
【００３７】
本発明の起動手順Ｃでは、図４に示すように、従来の起動手順Ａ及びＢとは異なり、人感センサ３により車両１への利用者の搭乗が検知されると、システム起動の処理Ｃ１が開始される。本発明の起動手順Ｃでは、システム起動の処理Ｃ１として、ＢＩＯＳの起動及びブートローダの起動の各動作が順に実施される。本発明の起動手順Ｃは、従来の起動手順Ｂと同様に、システム起動の処理Ｃ１の完了後、高速起動を目的としてカーネル、一部のドライバ、及びアプリケーションが含まれるスナップショットイメージの解凍展開の処理Ｃ２を行う。図４に示すように、スナップショットイメージの解凍展開の処理Ｃ２が完了し、カーナビである車載装置５による経路案内等のサービスの提供が開始可能になる時刻ｔ２は、従来の起動手順Ａにおける時刻ｔ４及び従来の起動手順Ｂにおける時刻ｔ３よりも早い時刻となる。
【００３８】
（作用、効果）
以上のとおり、第１の実施形態に係る電源供給制御装置１０は、車両１のエンジンの起動前に、車両１への利用者の搭乗を検知する搭乗検知手段である人感センサ３からの検知信号を受け付ける搭乗検知信号受付部１１と、検知信号を受け付けた場合に、車両１に搭載されたバッテリ２から車載装置５であるカーナビに電源供給を行う電源供給制御部１２と、を備える。
このように、利用者が車両１のエンジンを起動してから車両１の車載装置５であるカーナビに電源を供給するのではなく、車両１のエンジンの起動前に人感センサ３によって予め車両１への利用者の搭乗を検知し、それをトリガとして電源供給制御部１２によってバッテリ２から車載装置５に電源供給を行っているので、利用者が車両１に搭乗してエンジンを起動してから車載装置５のサービス提供までの待ち時間を効果的に短縮することができる。
特に、車両１のエンジンの起動前に車載装置５の起動が完了した場合には、利用者が車両１に搭乗してエンジンを起動してから車載装置５のサービス提供までの待ち時間はゼロとなり、運転者等の利用者は、サービス提供を待つストレスを受けずに非常に快適に車載装置５のサービス提供を受けることができる。
【００３９】
＜第１の実施形態の第１の変形実施例＞
図５は、第１の実施形態の第１の変形実施例に係る車載装置５の起動手順を説明する説明図である。図５を用いて第１の実施形態の第１の変形実施例に係る車載装置５の起動手順について説明する。なお、第１の実施形態の第１の変形実施例に係る車載装置５、電源供給制御装置１０、及び車両１は、特に言及する場合を除き、第１の実施形態に係る車載装置５、電源供給制御装置１０、及び車両１と同様に構成され、同様に機能するので、車載装置５の起動手順以外の説明についての説明は省略する。
【００４０】
図５に示す本発明の起動手順Ｃでは、図４に示す本発明の起動手順Ｃと概ね同様に各処理Ｃ１〜Ｃ３が行われるが、スナップショットイメージの解凍展開の処理Ｃ２の完了後、すぐにサービス提供の処理Ｃ３を行わず、車両１のエンジンが起動される時刻ｔ１まで待機する処理Ｃ４を行う点で異なっている。即ち、車載装置５は、車両１に搭載されたバッテリ２から車載装置５に電源供給が行われるとシステム起動（処理Ｃ１）、及びスナップショットイメージの解凍展開（処理Ｃ２）を順に行い、車両１のエンジンが起動される前に利用者へのサービス提供が可能な状態になった場合には、車両１のエンジンが起動されるまで利用者へのサービス提供の処理Ｃ３を行わないように構成されている。
【００４１】
従って、図５に示すように、カーナビである車載装置５による経路案内等のサービスの提供が開始可能になる時刻ｔ２は、車両１のエンジンが起動される時刻ｔ１と同じになる。なお、車載装置５がシステムを起動し（処理Ｃ１及びＣ２を行い）、車両１のエンジンが起動された後に利用者へのサービス提供が可能な状態になった場合には、待機する処理Ｃ４は行わずに、すぐに利用者へのサービスの提供が開始されてよい。この場合には、サービス提供の開始時刻ｔ２は、車両１のエンジンの起動時刻ｔ１の後になっている。
【００４２】
（作用、効果）
以上のとおり、第１の実施形態の第１の変形実施例に係る車載装置５は、車両１に搭載されたバッテリ２から車載装置５に電源供給が行われると起動し、車載装置５は、車両１のエンジンが起動される前に利用者へのサービス提供が可能な状態になった場合には、車両１のエンジンが起動されるまで利用者へのサービス提供を行わない。
このように、車載装置５が起動された後、車両１のエンジンを起動するまで車載装置５は利用者へのサービス提供を行わないので、利用者が車両に搭乗していないにもかかわらずサービス提供のための消費電力が発生することを防ぎ、車両１に搭載されて車載装置５に電源供給を行うバッテリ２の消耗を抑制することができる。従って、エネルギー効率を低下させずに車載装置５のサービス提供までの待ち時間を短縮することができる。
【００４３】
＜第２の実施形態＞
図６は、第２の実施形態に係る電源供給制御装置の構成を説明するブロック図である。図７は、第２の実施形態に係る電源供給制御装置１０の動作を示すフローチャートである。図５及び６を用いて第２の実施形態に係る電源供給制御装置１０を説明する。なお、第２の実施形態に係る車載装置５、電源供給制御装置１０、及び車両１は、特に言及する場合を除き、第１の実施形態に係る車載装置５、電源供給制御装置１０、及び車両１と同様に構成され、同様に機能するので、重複する説明については省略する。
【００４４】
（第２の実施形態に係る電源供給制御装置の機能構成）
図６に示すように、第２の実施形態に係る電源供給制御装置１０は、電源供給制御部１２が車載装置５に電源供給を行った時刻からの経過時間を計測するように構成されたタイマ部１３を備えている。第２の実施形態に係る電源供給制御装置１０は、タイマ部１３をさらに備えている点で、第１の実施形態に係る電源供給制御装置１０と相違する。
【００４５】
タイマ部１３は、電源供給制御部１２が車載装置５に電源供給を行った時刻からの経過時間を計測するように構成されている。本発明の第２の実施形態では、例えば、電源供給制御部１２が車載装置５に電源供給を行う際に、タイマ部１３に車載装置５への電源供給が行われたことを通知するように構成されていてよい。タイマ部１３は、電源供給制御部１２から車載装置５への電源供給が行われたことを通知された時刻からの経過時間の計測を行う。
【００４６】
また、タイマ部１３は、イグニッション回路（図示せず）からエンジンが起動されたことを示すイグニッション信号が電源供給制御装置１０に入力された際には、経過時間の計測処理を終了するように構成されていてよい。
【００４７】
さらに、タイマ部１３は、例えば、計測中の経過時間が所定の判定時間を超過した場合に、当該判定時間を超過したことを示す信号を電源供給制御部１２に通知するように構成されていてよい。電源供給制御部１２は、経過時間が所定の判定時間を超過したというタイマ部１３からの通知に基づいて、電源供給制御部１２が車載装置５に電源供給を行ってから所定の判定時間が経過したと判定してよい。
【００４８】
（第２の実施形態に係る電源供給制御装置の動作の処理フロー）
図７においては、第１の実施形態と同様に、一連の処理を１つのフローチャートで示しているが、ステップＳ１０１〜Ｓ１０２及びＳ１１０〜Ｓ１１３の処理は電源供給制御装置１０によって行われる処理であり、ステップＳ１０３〜Ｓ１０５は車載装置５によって行われる処理である。電源供給制御装置１０自体の処理の流れとしては、ステップＳ１０２の処理の後、ステップＳ１１０の処理に進む。
【００４９】
即ち、電源供給制御装置１０は、ステップＳ１０２にて車載装置５への電源供給を行った後、タイマ部１３を通じて経過時間の計測を開始する（ステップＳ１１０）。
【００５０】
電源供給制御部１２は、タイマ部１３により、車載装置５に電源供給を行ってから所定の判定時間が経過したか否かを判定する（ステップＳ１１１）。
車載装置５に電源供給を行ってから所定の判定時間が経過していない場合（ステップＳ１１１のＮＯ）、電源供給制御部１２は、エンジンが起動されたことを示すイグニッション信号を監視して、エンジンが起動されたか否かを判定する（ステップＳ１１２）。
車両１のエンジンが起動していない場合（ステップＳ１１２のＮＯ）、電源供給制御部１２は、ステップＳ１１１の判定処理に戻る。
【００５１】
車載装置５に電源供給を行ってから所定の判定時間が経過する前に車両１のエンジンが起動した場合（ステップＳ１１２のＹＥＳ）、電源供給制御部１２は、車載装置５への電源供給を継続する。これにより、車載装置５がサービスを提供する（ステップＳ１０５）。以後の処理は、本発明の第１の実施形態について図３を用いて説明した場合と同様に進められる。
【００５２】
他方、車両１のエンジンが起動されることなく所定の判定時間が経過した場合（ステップＳ１１１のＹＥＳ）、電源供給制御部１２は、車載装置５への電源供給を遮断する（ステップＳ１１３）。
【００５３】
なお、所定の判定時間は、利用者が実際に車両１を運転しようとしているか否かを判定する閾値として予め規定された時間である。利用者の搭乗が検知されたことをトリガにして車載装置５への電源供給が開始されたにもかかわらず、当該所定の判定時間以内に車両１のエンジンが起動されない場合には、（利用者の搭乗を検知したものの、）利用者が車両１を運転しようとしていないと判断できる。例えば、人感センサ３が搭乗を検知したものの、それが誤検知であり、実際には利用者が車両１に乗り込んでいないか、又は、車両１に利用者が実際に乗り込んだものの運転を行うことなく降車してしまった場合等が想定される。
所定の判定時間は、一例として、車両１への利用者の搭乗を検知してから利用者がエンジンを起動するまでに実際にかかる時間の平均時間を所定の判定時間として規定する。
【００５４】
（作用、効果）
以上のとおり、第２の実施形態に係る電源供給制御装置１０において、電源供給制御部１２は、車載装置５に電源供給を行ってから所定の判定時間以内に車両１のエンジンが起動されない場合に、車両１に搭載されたバッテリから車載装置への電源供給を遮断する。
このようにすることで、例えば、人感センサ３の誤検知等に基づいて、車両１が直ちに運転に利用される状況にはないにもかかわらず、電源供給制御装置が車載装置５に電源供給をし続けてしまう事態を防止し、延いては、車両１のバッテリ２の浪費を抑制することができる。
なお、上述の説明で、車両１のエンジンが起動されることなく所定の判定時間が経過した場合（タイムアウトした場合）には、電源供給制御部１２は、車載装置５への電源供給を遮断する（ステップＳ１１３）ことを説明した。この場合、更に、電源供給制御部１２は、ステップＳ１１３を経て車載装置５への電源供給を遮断した後であっても、エンジンが実際に起動された場合には、例えば、図４の起動手順Ｂに示す車載装置５の起動が実行されるようにしてもよい。このようにすることで、人感センサ３の誤検知等によって車載装置５への電源供給がなされ、続くタイムアウトにより、再度、電源供給が遮断された場合であっても、その後、利用者が車両１を運転しようとエンジンを起動させた場合には、車載装置５への電源供給を行うことができる。
【００５５】
図８は、少なくとも１つの実施形態に係る電源供給制御装置１０が備えるコンピュータの構成を示す概略ブロック図である。
コンピュータ９は、ＣＰＵ９１、主記憶装置９２、補助記憶装置９３、インタフェース９４を備える。
上述の電源供給制御装置１０は、コンピュータ９を備える。そして、上述した各処理部の動作は、プログラムの形式で補助記憶装置９３に記憶されている。ＣＰＵ９１は、プログラムを補助記憶装置９３から読み出して主記憶装置９２に展開し、当該プログラムに従って上記処理を実行する。例えば、上述した搭乗検知信号受付部１１、電源供給制御部１２、及びタイマ部１３は、ＣＰＵ９１であってよい。
また、ＣＰＵ９１は、プログラムに従って、上述したデータベースに対応する記憶領域を主記憶装置９２または補助記憶装置９３に確保する。
【００５６】
補助記憶装置９３の例としては、ＨＤＤ（Hard Disk Drive）、ＳＳＤ（Solid State Drive）、磁気ディスク、光磁気ディスク、ＣＤ−ＲＯＭ（Compact Disc Read Only Memory）、ＤＶＤ−ＲＯＭ（Digital Versatile Disc Read Only Memory）、半導体メモリ等が挙げられる。補助記憶装置９３は、コンピュータ９のバスに直接接続された内部メディアであってもよいし、インタフェース９４または通信回線を介してコンピュータ９に接続される外部メディアであってもよい。また、このプログラムが通信回線によってコンピュータ９に配信される場合、配信を受けたコンピュータ９が当該プログラムを主記憶装置９２に展開し、上記処理を実行してもよい。少なくとも１つの実施形態において、補助記憶装置９３は、一時的でない有形の記憶媒体である。
【００５７】
また、当該プログラムは、前述した機能の一部を実現するためのものであってもよい。さらに、当該プログラムは、前述した機能を補助記憶装置９３に既に記憶されている他のプログラムとの組み合わせで実現するもの、いわゆる差分ファイル（差分プログラム）であってもよい。
【００５８】
以上、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で種々の省略、置き換え、変更を行うことができる。これら実施形態やその変形は、発明の範囲や要旨に含まれると同様に、特許請求の範囲に記載された発明とその均等の範囲に含まれるものとする。
【産業上の利用可能性】
【００５９】
上述の電源供給制御装置、当該電源供給制御装置を備える車両、電源供給制御方法、並びに電源供給制御プログラムによれば、エンジンの停止していた車両においてエンジンを起動してから車載装置のサービス提供までの待ち時間を効果的に短縮する。
【符号の説明】
【００６０】
１  車両
２  バッテリ
３  人感センサ
４  外部メモリ
５  車載装置
９  コンピュータ
１０  電源供給制御装置
１１  搭乗検知信号受付部
１２  電源供給制御部
１３  タイマ部
９１  ＣＰＵ
９２  主記憶装置
９３  補助記憶装置
９４  インタフェース
Ａ  従来の起動手順
Ａ１  システム起動の処理
Ａ２  アプリケーション起動の処理
Ａ３  サービス提供の処理
Ｂ  従来の起動手順
Ｂ１  システム起動の処理
Ｂ２  スナップショットイメージの解凍展開の処理
Ｂ３  サービス提供の処理
Ｃ  本発明の起動手順
Ｃ１  システム起動の処理
Ｃ２  スナップショットイメージの解凍展開の処理
Ｃ３  サービス提供の処理
Ｃ４  待機の処理
【図１】
2019087300.tif 000003
【図２】
2019087300.tif 000004
【図３】
2019087300.tif 000005
【図４】
2019087300.tif 000006
【図５】
2019087300.tif 000007
【図６】
2019087300.tif 000008
【図７】
2019087300.tif 000009
【図８】
2019087300.tif 000010
【国際調査報告】
2019087300.tif 000011
2019087300.tif 000012